(57)【要約】【課題】フィルタの劣化を抑えて好適な集塵効率や寿命を維持すると共に、フィルタの掃除も簡単に行えるようにする。【解決手段】集塵装置において、ダストボックス６１に設けるフィルタを、メインフィルタ７３と、そのメインフィルタ７３の上流に位置してメインフィルタ７３よりも目の粗いプレフィルタ７６との２つとして、両フィルタ７３，７６をダストボックス６１からそれぞれ着脱可能とした。【選択図】図５
2011189485.tif 000002
【特許請求の範囲】
【請求項１】
電動工具に装着可能なケーシングに、吸込口から吸い込んだ外気が通過する集塵経路を形成すると共に、前記ケーシングに設けた結合部に、フィルタを備えて前記集塵経路の一部となる通気路を内設したダストボックスを着脱可能に結合した集塵装置であって、
前記フィルタを、メインフィルタと、そのメインフィルタの上流に位置して前記メインフィルタよりも目の粗いプレフィルタとの２つとして、前記両フィルタを前記ダストボックスからそれぞれ着脱可能としたことを特徴とする集塵装置。
【請求項２】
前記ダストボックスを、箱状のボックス本体と、そのボックス本体の開口を開閉可能な蓋体とで形成して、前記メインフィルタを前記蓋体へ取り付けると共に、前記プレフィルタを、前記メインフィルタを覆うように前記蓋体へ取り付けることを特徴とする請求項１に記載の集塵装置。
【請求項３】
前記ダストボックスを、箱状のボックス本体と、そのボックス本体の開口を開閉可能な蓋体とで形成して、前記メインフィルタを前記蓋体へ取り付ける一方、前記プレフィルタを前記ボックス本体へ取り付けることを特徴とする請求項１に記載の集塵装置。
【請求項４】
請求項１乃至３の何れかに記載の集塵装置を装着してなる集塵装置付き電動工具。
【発明の詳細な説明】
【技術分野】
【０００１】
本発明は、電動ドリルやハンマードリル等の電動工具に装着される集塵装置と、その集塵装置を装着した集塵装置付き電動工具とに関する。
【背景技術】
【０００２】
電動ドリルやハンマードリル等の電動工具には、穿孔作業等の際に被加工材から発生する粉塵を集塵して回収する集塵装置が装着される。この集塵装置としては、特許文献１に開示のものが知られている。ここでは、先端工具が貫通するアダプタに接続したホースを電動工具側に設けた集塵用ハウジングに接続し、集塵用ハウジングに、ホース接続側と連通する開口部と、電動工具のモータ出力軸に設けた集塵ファン側と連通する開口部とを形成する一方、その集塵用ハウジングに着脱可能に結合される集塵ケースに、フィルタと、フィルタを挟んで内部で連通する入口と出口とを設けて、入口と出口とを集塵ケースの同じ方向（同じ結合面）に設けることで、集塵用ハウジングに対する集塵ケースの位置決めを一方向として接合を容易にしている。
【先行技術文献】
【特許文献】
【０００３】
【特許文献１】特開２００８−２０７３６１号公報
【発明の概要】
【発明が解決しようとする課題】
【０００４】
しかし、上記特許文献１の集塵装置は、集塵ケース内に単一のフィルタが設けられているだけなので、フィルタが短時間で目詰まりしやすく、掃除の頻度が多くなる上、劣化が早まって集塵効率や寿命の低下に繋がる。また、フィルタは集塵ケース内に固定されているため、フィルタの掃除も面倒で手間が掛かってしまう。
【０００５】
そこで、本発明は、フィルタの劣化を抑えて好適な集塵効率や寿命を維持できると共に、フィルタの掃除も簡単に行える集塵装置及び集塵装置付き電動工具を提供することを目的としたものである。
【課題を解決するための手段】
【０００６】
上記目的を達成するために、請求項１に記載の発明は、フィルタを、メインフィルタと、そのメインフィルタの上流に位置してメインフィルタよりも目の粗いプレフィルタとの２つとして、両フィルタをダストボックスからそれぞれ着脱可能としたことを特徴とするものである。
請求項２に記載の発明は、請求項１の構成において、ダストボックスを、箱状のボックス本体と、そのボックス本体の開口を開閉可能な蓋体とで形成して、メインフィルタを蓋体へ取り付けると共に、プレフィルタを、メインフィルタを覆うように蓋体へ取り付けることを特徴とするものである。
請求項３に記載の発明は、請求項１の構成において、ダストボックスを、箱状のボックス本体と、そのボックス本体の開口を開閉可能な蓋体とで形成して、メインフィルタを蓋体へ取り付ける一方、プレフィルタをボックス本体へ取り付けることを特徴とするものである。
上記目的を達成するために、請求項４に記載の発明は、請求項１乃至３の何れかに記載の集塵装置を装着してなる集塵装置付き電動工具としたものである。
【発明の効果】
【０００７】
請求項１及び４に記載の発明によれば、プレフィルタの採用により、メインフィルタの劣化を抑えて好適な集塵効率や寿命を維持できる。また、メインフィルタやプレフィルタの掃除も簡単に行える。
請求項２に記載の発明によれば、請求項１の効果に加えて、メインフィルタの目詰まりや劣化が好適に抑えられ、掃除が楽になると共に長寿命化が期待できる。
請求項３に記載の発明によれば、請求項１の効果に加えて、蓋体の開放によって両フィルタがそれぞれ単独で露出されるため、掃除や交換により至便となる。
【図面の簡単な説明】
【０００８】
【図１】集塵装置を装着したハンマードリルの縦断面図である。
【図２】ハンマードリルの縦断面図である。
【図３】集塵装置の縦断面図である。
【図４】ダストボックスの斜視図である。
【図５】ダストボックスの分解斜視図である。
【図６】ダストボックスの縦断面図である。
【図７】ダストボックスの結合状態を示す縦断面図である。
【図８】蓋体を開いた状態のダストボックスの斜視図である。
【図９】プレフィルタをボックス本体側に設けたダストボックスの縦断面図である。
【発明を実施するための形態】
【０００９】
以下、本発明の実施の形態を図面に基づいて説明する。
［ハンマードリルの構成］
図１は、電動工具の一例であるハンマードリルに集塵装置を装着した状態を示し、図２はハンマードリルを単体で示している。まずハンマードリル１は、左右一対の半割ハウジングを組み付けてなるハウジング２の前側（図１，２の右側を前方とする。）中央にモータ３を、出力軸４を後方へ傾かせた傾斜姿勢で収容しており、その上方でベベルギヤ５，５を介してトルク伝達される中間軸６に、前方から第１ギヤ７、クラッチ８、ボススリーブ９を備えている。中間軸６の上方には、先端にビット１０を挿着可能なツールホルダ１１が中間軸６と平行に軸支されて、その後方に遊挿されたピストンシリンダ１２の後端に、ボススリーブ９にスワッシュベアリングを介して外装されたアーム１３が連結されている。ピストンシリンダ１２の内部には、空気室１４を介してストライカ１５が前後移動可能に外装されて、その前方に設けたインパクトボルト１６を打撃可能としている。第１ギヤ７は、ツールホルダ１１に装着された第２ギヤ１７と噛合している。
【００１０】
一方、ハウジング２の後側上部には、スイッチ１９及びスイッチレバー２０を備えたハンドル１８が形成されており、ハンドル１８の下方には、電源となるバッテリーパック２１が装着されている。また、ハウジング２の前側下部は、前面が出力軸４と平行な傾斜面部２３となってバッテリーパック２１の前方に突出し、集塵装置４０が装着される装着部２２となっている。この装着部２２の内部に、モータ３のコイル、スイッチ１９、バッテリーパック２１とリード線２４，２４・・で電気的接続されるコントローラ２５が収容されると共に、装着部２２の下面には、前端が前方へ開放する案内溝２６が前後方向に凹設されている。また、コントローラ２５の前方には、集塵装置４０側の正負のオス端子５７と電気的接続される正負のメス端子２７が設けられて、リード線２４で電気的接続されている。
【００１１】
傾斜面部２３におけるメス端子２７の前方には、四角形状の差込口２８が開口形成されると共に、装着部２２の内部には、差込口２８を開閉するシャッタ２９が設けられている。このシャッタ２９は、前面が傾斜面部２３に合わせた傾斜面となって上方へ行くに従って厚みが小さくなる板状体で、左右の半割ハウジングの内面でそれぞれ上下方向に突設された受け座３０により、差込口２８の閉塞位置と開放位置との間で上下動可能に支持されている。また、装着部２２の下部でシャッタ２９の後方には、回転リンク３１が設けられている。この回転リンク３１は、中央を左右方向の軸３２によって装着部２２内で回転可能に支持されて、前端で左右方向に設けたピン３３を、シャッタ２９の下部に設けられて後方へ行くに従って下方へ傾斜する傾斜溝３４に遊挿させる一方、他端には扇状のカム部３５を形成している。また、回転リンク３１は、トーションスプリング３６によって図２での左回転方向へ回転付勢されて、常態ではカム部３５を、装着部２２の底部に設けた透孔３７を介して案内溝２６内に突出させる一方、ピン３３でシャッタ２９を押し上げて差込口２８の閉塞位置に保持している。
【００１２】
［集塵装置の構成］
集塵装置４０は、図３にも示すように、ハンマードリル１の装着部２２の傾斜面部２３及び底面に当接して嵌合する嵌合凹部４２を備え、左右の半割ケーシングを組み付けてなる側面視逆Ｌ字状のケーシング４１を有している。ケーシング４１の後方には、出力軸４４を前方へ向けたモータ４３が横向きに収容されると共に、その後方にコントローラ４５が設けられている。また、出力軸４４には集塵ファン４６が固着されて、ケーシング４１内に区画形成されて側面に図示しない排気口を備えた吸気室４７内に収容されている。４８は、吸気室４７の前方でケーシング４１に形成されたダストボックス６１の結合部で、前方のみ開口した凹状を呈し、結合部４８の底となる仕切壁４９には、集塵ファン４６の同軸上で結合部４８を吸気室４７と連通させる連通孔５０が形成されている。
【００１３】
一方、結合部４８の上方には、前端が開口し後端がＵ字状にターンして結合部４８の後方へ回り込む案内通路５１が前後方向に形成されており、その案内通路５１の前端に、Ｌ字状のノズル５２が連結されて、吸込口５３を有する先端を上向きに突出させている。このノズル５２及び案内通路５１には、両者に跨ってフレキシブルホース５４が収容されており、フレキシブルホース５４の後端には、案内通路５１の後端形状に沿ってＵ字状に折り返した四角筒状のダクト５５が連結されている。ダクト５５の先端部５６は、仕切壁４９を貫通して結合部４８内に突出している。
【００１４】
また、結合部４８の後方には、正負一対のオス端子５７が設けられている。このオス端子５７は、嵌合凹部４２を形成するケーシング４１の傾斜後面５８に差し込み固定されて後方へ突出する板状体で、ケーシング４１には、オス端子５７の中間部分に沿って固定され、先端が後方へ突出する保護リブ５９が設けられている。よって、オス端子５７は、突出する根元部分が保護リブ５９によって保護されることになる。さらに、嵌合凹部４２を形成するケーシング４１の後部上面には、ハンマードリル１の装着部２２の下面に設けられた案内溝２６に嵌合するレール６０が前後方向に突設されている。
【００１５】
結合部４８にはダストボックス６１が装着されている。このダストボックス６１は、図４〜６に示すように、粉塵を貯留するボックス本体６２と、そのボックス本体６２にヒンジ６５によって結合される蓋体６３と、蓋体６３に結合されるフィルタユニット６４とを備えている。
まず、ボックス本体６２は、上面を開口した縦長の箱体で、ヒンジ６５側の短手側面に、結合部４８の下部内面に突設された左右方向の軸突起４８ａに嵌合する凹溝６６を備え、他方の短手側面に、結合部４８の上部内面に穿設された透孔４８ｂに弾性係止する下向き舌片状の係止片６７と、その上方で開口際に突設され、下方へ行くほど外側へ突出する係止突起６８とを備えている。
【００１６】
蓋体６３は、ボックス本体６２の上面開口を閉塞可能な四角板で、ヒンジ６５と反対側の端縁には、蓋体６３を閉じた状態でボックス本体６２の係止突起６８に弾性係止するストッパ片６９が下向きに突設されている。また、蓋体６３のストッパ片６９寄りには、ダストボックス６１を結合部４８に装着した状態でダクト５５の先端部５６が貫通する四角形状の入口７０が穿設され、入口７０とヒンジ６５との間には、同じく結合部４８への装着状態で連通孔５０と対向する四角形状の出口７１とが設けられている。７２，７２・・はフィルタユニット６４の取付孔で、出口７１の外側で各辺に沿って一対ずつ穿設されている。
【００１７】
そして、フィルタユニット６４は、メインフィルタ７３とプレフィルタ７６とを備え、蓋体６３の下方からシール体７４及び取付プレート７５を介して蓋体６３に組み付けられている。
まずメインフィルタ７３は、蓋体６３の出口７１に下方から嵌合する出口枠７７に、折り畳んだ紙製のフィルタ７８を取り付けてなり、図６に示すように、出口枠７７の外面に周設した突条７９を、蓋体６３の出口７１の下縁に沿って形成した上段部８０に嵌合させることで、出口７１に対して位置決めされる。
シール体７４は、蓋体６３の下面に形成された凹部８１に嵌合して位置決めされ、ゴム等の弾性材料で形成される板状体で、蓋体６３の入口７０の下方に位置して入口７０より一回り小さい四角形状のシール口８２を備えると共に、蓋体６３の周縁に沿って当接する四角形状のシール枠８３を備えている。
【００１８】
取付部材としての取付プレート７５は、蓋体６３よりもやや小さい四角形となる板体で、蓋体６３の入口７０と出口７１とに合わせて両者を下方に開口させる大小２つの貫通孔８４，８５を備え、大きい貫通孔８４の上縁には、メインフィルタ７３の出口枠７７の突条７９が嵌合する下段部８６が形成されている。また、取付プレート７５の上面で貫通孔８４の周囲には、外向きの返しを上端に備えた係止突起８７が、蓋体６３の取付孔７２に対応してそれぞれ形成されており、シール体７４を介在させてメインフィルタ３の出口枠７７を受けた状態で各係止突起８７をそれぞれ取付孔７２に差し込み係止可能となっている。さらに、取付プレート７５は、ヒンジ６５側を除く三辺は何れもシール体７４よりも内側に位置して、蓋体６３の閉塞時にはボックス本体６２の開口にシール枠８３が直接当接するようになっている。
【００１９】
プレフィルタ７６は、メインフィルタ７３の出口枠７７と取付プレート７５の貫通孔８４との間に下方から嵌合する枠体８８に、袋状でメインフィルタ７３のフィルタ７８よりも目の粗い布製のフィルタ８９を取り付けてなり、枠体８８の各辺の中央には、先端がそれぞれ外向きとなる逆Ｌ字状の引掛片９０が突設されている。この引掛片９０は、出口枠７７の突条７９の下方で取付プレート７５の下段部８６に係止可能となっている。
なお、ここでのボックス本体６２、蓋体６３、メインフィルタ７３の出口枠７７、取付プレート７５、プレフィルタ７６の枠体８８はそれぞれ合成樹脂で形成されている。
【００２０】
［集塵装置の組立及びハンマードリルへの装着］
以上の如く構成された集塵装置４０においては、取付プレート７５の貫通孔８４に上方からまずプレフィルタ７６を挿入すると、枠体８８の引掛片９０が貫通孔８４の下段部８６に係止し、取付プレート７５から吊り下げ支持される。次に、メインフィルタ７３を、プレフィルタ７６内に上方から挿入して出口枠７７を貫通孔８４に嵌合させる。すると、突条７９が下段部８６に係止してメインフィルタ７３はプレフィルタ７６内で取付プレート７５から吊り下げ支持される。なお、プレフィルタ７６へ先にメインフィルタ７３を挿入してから両フィルタを取付プレート７５に組み付けてもよい。
この状態で、取付プレート７５の上面にシール体７４をセットして、その上方から蓋体６３を、係止突起８７を取付孔７２にそれぞれ合わせて差し込みながら組み付ける。すると、図６に示すように、出口枠７７の突条７９が蓋体６３と取付プレート７５との間に挟持されて、フィルタユニット６４は蓋体６３に装着される。
【００２１】
こうしてフィルタユニット６４を組み付けた蓋体６３を閉じると、ストッパ片６９がボックス本体６２の係止突起６８に弾性係止すると共に、凹部８１に嵌合して蓋体６３の下面周縁際に露出するシール体７４がボックス本体６２の開口に当接して当該開口をシールする。よって、ダストボックス６２には、蓋体６３の入口７０からボックス本体６２内へ進入した空気が、プレフィルタ７６及びメインフィルタ７３を通過した後に出口７１から排出される通気路９１が形成されることになる。
【００２２】
このダストボックス６１を集塵装置４０に結合する際には、図７に示すように、まずボックス本体６２の凹溝６６を結合部４８の軸突起４８ａに嵌合させ、そのまま軸突起４８ａを中心にしてダストボックス６１を後方へ回転させて蓋体６３の上面が結合部４８の仕切壁４９に当接するまで押し込む。すると、図３に示すように、ボックス本体６２の係止片６７が結合部４８の透孔４８ｂに係止する。これと同時に、結合部４８に突出しているダクト５５の先端部５６が蓋体６３の入口７０及びシール体７４のシール口８２を貫通してボックス本体６２内へ突出すると共に、蓋体６３の出口７１に連通孔５０が対向する。
このダストボックス６１の結合により、集塵装置４０には、ノズル５２の吸込口５３からフレキシブルホース５４、ダクト５５、ダストボックス６１の通気路９１、連通孔５０を経て集塵ファン４６に至る集塵経路が形成されることになる。なお、ダストボックス６１の入口７０では、ダクト５５の先端部５６の全周に亘ってシール体７４のシール口８２の内縁が当接するため、ダクト５５と通気路９１とはシール状態で接続される。
【００２３】
このようにダストボックス６１を装着した集塵装置４０をハンマードリル１に装着する際には、ハンマードリル１の装着部２２下面の案内溝２６に集塵装置４０のレール６０を合わせた状態で、装着部２２に対して嵌合凹部４２を前方から嵌合させるように集塵装置４０を後方へスライドさせる。すると、レール６０が案内溝２６内を後方へスライドし、その途中で回転リンク３１のカム部３５に当接し、カム部３５を押し上げることで回転リンク３１を図２において右回転させる。よって、ピン３３がシャッタ２９を下方の開放位置へ引込み、差込口２８を開放させる。
その後、集塵装置４０のオス端子５７が開放した差込口２８からハウジング２内へ進入し、装着部２２が嵌合凹部４２へ嵌合すると同時にメス端子２７に挿通して電気的接続される（図１）。
【００２４】
［ハンマードリル及び集塵装置の作用］
ハンマードリル１のスイッチレバー２０を押し込み操作してスイッチ１９をＯＮさせると、モータ３が駆動して中間軸６を回転させる。このとき、ハウジング２の外部からクラッチ８をスライド操作して、第１ギヤ７のみと係合する前進位置、ボススリーブ９のみと係合する後退位置、第１ギヤ７及びボススリーブ９と同時に係合する中間位置の何れかを選択することで、第２ギヤ１７を介してツールホルダ１１が回転してビット１０を回転させるドリルモード、アーム１３の揺動によってピストンシリンダ１２を往復動させ、連動するストライカ１５によってインパクトボルト１６を介してビット１０を打撃するハンマーモード、ツールホルダ１１の回転とインパクトボルト１６の打撃とを同時に行うハンマードリルモードの選択が可能となる。
【００２５】
一方、スイッチ１９のＯＮによってコントローラ２５は、集塵装置４０のコントローラ４５へ電源を供給する。よって、コントローラ４５は、モータ４３を駆動させて集塵ファン４６を回転させる。これにより、ノズル５２の吸込口５３から外気が吸引され、フレキシブルホース５４及びダクト５５を通って入口７０からボックス本体６２内に排出され、通気路９１を通過して出口７１から連通孔５０を介して吸気室４７に至り、吸気室４７に設けた排気口から外部へ排出される。従って、回転等するビット１０によって被加工材から生じた粉塵は、吸込口５３に吸い込まれてノズル５２及びフレキシブルホース５４、ダクト５５を介してボックス本体６２内に進入し、プレフィルタ７６とメインフィルタ７３との何れかに捕捉されてボックス本体６２内に貯留することになる。
【００２６】
なお、スイッチレバー２０の押し込みを解除してスイッチ１９をＯＦＦさせると、モータ３が停止してビット１０の回転等が停止する。しかし、コントローラ２５は、集塵装置４０への通電をスイッチ１９のＯＦＦから数秒間遅らせて停止させる遅延機能を備えているため、集塵装置４０ではビット停止後数秒間は集塵ファン４６が回転を続ける。よって、ノズル５２やフレキシブルホース５４等に残留した粉塵もダストボックス６１へ確実に回収することができる。
【００２７】
そして、ボックス本体６２内に粉塵が溜まると、係止片６７を指で押し下げて透孔４８ｂとの係止を解除した状態で、装着時と逆の動作でダストボックス６１を軸突起４８ａを中心に前方へ回転させる。すると、ダクト５５の先端部５６がシール口８２及び入口７０から外れてそのままダストボックス６１を取り出すことができる。そして、蓋体６３のストッパ片６９をボックス本体６２の係止突起６８から外せば、図８のように蓋体６３を開いてボックス本体６２を開放させることができるため、ボックス本体６２内の粉塵を廃棄することができる。
【００２８】
また、蓋体６３から取付プレート７５を取り外せば、フィルタユニット６４を取り外すことができるため、メインフィルタ７３やプレフィルタ７６の掃除や交換も容易に行える。
但し、プレフィルタ７６の枠体８８の各辺は弾性を備えることから、取付プレート７５の下段部８６に係止している引掛片９０を出口枠７７と下段部８６との間からそれぞれ抜き取って、プレフィルタ７６のみをフィルタユニット６４から取り外すことができる。よって、プレフィルタ７６の交換や掃除、露出したメインフィルタ７３の掃除等を行うことが可能となる。
【００２９】
一方、集塵装置４０の取り外しは、装着時と逆に集塵装置４０をハンマードリル１から前方へスライドさせると、案内溝２６によるレール６０の案内で集塵装置４０が前方へスライドし、これに従ってオス端子５７がメス端子２７から離間して差込口２８から抜き取られる。その後、前進したレール６０によるカム部３５の押し上げを解かれた回転リンク３１がトーションスプリング３６の付勢によって左回転するため、ピン３３を介してシャッタ２９を上方へ押し上げる。よって、シャッタ２９が閉塞位置へ復帰して差込口２８を閉塞することになる。
【００３０】
［集塵装置の効果］
上記形態の集塵装置４０によれば、ダストボックス６１に設けるフィルタを、メインフィルタ７３と、そのメインフィルタ７３の上流に位置してメインフィルタ７３よりも目の粗いプレフィルタ７６との２つとして、両フィルタ７３，７６をダストボックス６１からそれぞれ着脱可能としたことで、メインフィルタ７３の劣化を抑えて好適な集塵効率や寿命を維持できる。また、メインフィルタ７３やプレフィルタ７６の掃除も簡単に行える。
特にここでは、ダストボックス６１を、箱状のボックス本体６２と、そのボックス本体６２の開口を開閉可能な蓋体６３とで形成して、メインフィルタ７３を蓋体６３へ取り付けると共に、プレフィルタ７６を、メインフィルタ７３を覆うように蓋体６３へ取り付けているので、メインフィルタ７３の目詰まりや劣化が好適に抑えられ、掃除が楽になると共に長寿命化が期待できる。
【００３１】
［変更例］
メインフィルタ及びプレフィルタの形状は上記形態に限らず、両フィルタとも紙製や布製としたりしてもよいし、両フィルタの取付も、例えばプレフィルタの枠体をメインフィルタの出口枠に対して着脱可能として、メインフィルタの出口枠のみを取付プレート等を介して、或いは直接蓋体に出口に嵌合させる等して取り付けるようにしてもよい。
また、上記形態のように両フィルタとも蓋体に取り付ける場合に限らず、例えば図９に示すように、プレフィルタ７６を蓋体６３側でなく、引掛片９０をボックス本体６２の開口に係止させる等してボックス本体６２側へ取り付けることも可能である。このようにすれば、蓋体６３の開放によって両フィルタがそれぞれ単独で露出されるため、掃除や交換により至便となる。
【００３２】
また、集塵装置の形態も、例えば集塵ファンを、モータの出力軸に設けずに、出力軸から回転伝達される別のシャフトに設けたりしてもよいし、ノズル等の他の形態も適宜設計変更可能である。さらに、集塵装置に専用のモータや集塵ファンを内設せず、特許文献１のように電動工具側のモータを利用して集塵させることもできる。
その他、電動工具もハンマードリルに限らず、電動ドリルや電動ハンマ等の他の種類の工具に対して集塵装置を装着することは可能である。
【符号の説明】
【００３３】
１・・ハンマードリル、２・・ハウジング、３，４３・・モータ、４，４４・・出力軸、６・・中間軸、１０・・ビット、１１・・ツールホルダ、２１・・バッテリーパック、２２・・装着部、２５，４５・・コントローラ、２６・・案内溝、２７・・メス端子、２８・・差込口、２９・・シャッタ、３１・・回転リンク、３５・・カム部、４０・・集塵装置、４１・・ケーシング、４２・・嵌合凹部、４６・・集塵ファン、４８・・結合部、５０・・連通孔、５２・・ノズル、５３・・吸込口、５５・・ダクト、５６・・先端部、５７・・オス端子、６０・・レール、６１・・ダストボックス、６２・・ボックス本体、６３・・蓋体、６４・・フィルタユニット、７０・・入口、７１・・出口、７３・・メインフィルタ、７４・・シール体、７５・・取付プレート、７６・・プレフィルタ、７７・・出口枠、８２・・シール口、９１・・通気路。
【図１】
2011189485.tif 000003
【図２】
2011189485.tif 000004
【図３】
2011189485.tif 000005
【図４】
2011189485.tif 000006
【図５】
2011189485.tif 000007
【図６】
2011189485.tif 000008
【図７】
2011189485.tif 000009
【図８】
2011189485.tif 000010
【図９】
2011189485.tif 000011